(57)【特許請求の範囲】
【請求項１】
進気口及び排気口を有するハウジングと、
前記ハウジング内に配置され、昆虫が前記進気口から吸入されるように前記進気口から前記ハウジングを通って前記排気口への気流を生成するファン装置と、
前記ハウジングの前記排気口に連結され、前記ハウジング内に吸入された昆虫を収集する収集装置と、
誘引剤を収容する少なくとも一つのキャビティと誘引剤の揮発物を発散する開口とを有する誘引剤ボックスと、
を備え、
前記誘引剤ボックスは、前記誘引剤ボックスの前記開口が前記進気口の付近で前記進気口よりも前記気流の流れ方向上流に位置するとともに、前記ハウジングの外側に向かうように配置され、
前記収集装置は、前記ハウジングに着脱可能に取り付けられ、
前記収集装置は、弁を備え、
前記収集装置が前記ハウジングに取り付けられた場合、前記進気口から吸入された昆虫が前記弁を通って前記収集装置内に進入できるように前記弁は開弁し、
前記収集装置が前記ハウジングから取り外された場合、前記収集装置内の昆虫が前記弁から逃げ出さないように前記弁は閉弁していることを特徴とする昆虫誘引捕獲器。
【請求項２】
前記ハウジングは、中空の筒体であり、
前記ファン装置は、前記筒体の中空部に設置され、
前記進気口及び前記排気口は前記中空部と連通し、
前記進気口及び前記排気口の前記筒体における位置と向きは、前記排気口の排気が前記進気口付近の乱流を起こさないように設定されていることを特徴とする請求項１に記載の昆虫誘引捕獲器。
【請求項３】
前記進気口は、前記筒体の一端部に位置し、前記排気口は、前記筒体の他端部に位置することを特徴とする請求項２に記載の昆虫誘引捕獲器。
【請求項４】
前記進気口は前記筒体の一端部の端面に設けられていることを特徴とする請求項３に記載の昆虫誘引捕獲器。
【請求項５】
前記ハウジングは、前記筒体の前記一端部を形成する進気口カバーを更に備え、前記進気口カバーは、進気口を形成する少なくとも一つの開口を備えることを特徴とする請求項４に記載の昆虫誘引捕獲器。
【請求項６】
前記進気口は前記筒体の前記一端部における側面に設けられていることを特徴とする請求項３に記載の昆虫誘引捕獲器。
【請求項７】
前記誘引剤ボックスは、前記ハウジングに着脱可能に取り付けられることを特徴とする請求項１乃至請求項６のいずれか一項に記載の昆虫誘引捕獲器。
【請求項８】
前記誘引剤ボックスは、前記進気口に隣接して設置されることを特徴とする請求項１乃至請求項７のいずれか一項に記載の昆虫誘引捕獲器。
【請求項９】
前記誘引剤ボックスは、前記ハウジング内に取り付けられることを特徴とする請求項１乃至請求項８のいずれか一項に記載の昆虫誘引捕獲器。
【請求項１０】
前記誘引剤ボックスは、前記筒体の前記一端部の前記端面に取り付けられることを特徴とする請求項３乃至請求項９のいずれか一項に記載の昆虫誘引捕獲器。
【請求項１１】
前記誘引剤ボックスは、前記筒体の前記一端部の前記端面の中心に取り付けられることを特徴とする請求項１０に記載の昆虫誘引捕獲器。
【請求項１２】
前記誘引剤ボックスは複数備えられていることを特徴とする請求項１１に記載の昆虫誘引捕獲器。
【請求項１３】
複数の前記誘引剤ボックスは、等間隔で配置されていることを特徴とする請求項１２に記載の昆虫誘引捕獲器。
【請求項１４】
前記進気口カバーの端面には格子が形成されることにより、進気口が形成され、前記誘引剤ボックスは、前記端面の中心に取り付けられ、前記端面の中心は、前記ファン装置の中心と一致することを特徴とする請求項５に記載の昆虫誘引捕獲器。
【請求項１５】
前記収集装置は、通気性袋、または通気ネツトを備えるボックスであることを特徴とする請求項１乃至請求項１４のいずれか一項に記載の昆虫誘引捕獲器。
【請求項１６】
前記ハウジングは、突起ピンを備え、
前記収集装置は、付勢手段を更に備え、
前記弁は、ヒンジにより回動可能に前記収集装置に連結され、
前記付勢手段は、前記弁を閉弁するよう付勢し、
前記収集装置が前記ハウジングに取り付けられる場合、前記突起ピンにより、前記弁は開弁方向に回動することを特徴とする請求項１に記載の昆虫誘引捕獲器。
【請求項１７】
前記誘引剤は、フェロモンと、乳酸と、オクテノールと、分解されてアンモニアガスを発生させる化合物と、分解されて二酸化炭素を発生させる化合物とのいずれか一つまたはこれらの組み合わせであることを特徴とする請求項１乃至請求項１６のいずれか一項に記載の昆虫誘引捕獲器。
【請求項１８】
前記の分解されてアンモニアガスを発生させる分解可能な化合物は、炭酸水素アンモニウムであることを特徴とする請求項１７に記載の昆虫誘引捕獲器。
【請求項１９】
前記の分解されて二酸化炭素を発生させる化合物は、炭酸水素アンモニウムであることを特徴とする請求項１７に記載の昆虫誘引捕獲器。
【請求項２０】
前記誘引剤ボックスの前記開口の内径は、前記誘引剤が前記開口から０．１ｍｇ／ｈ〜１０ｍｇ／ｈの速度で排出するように設定されていることを特徴とする請求項１７乃至請求項１９のいずれか一項に記載の昆虫誘引捕獲器。
【請求項２１】
昆虫を誘引する光を放出する発光装置を更に備えることを特徴とする請求項１乃至請求項２０のいずれか一項に記載の昆虫誘引捕獲器。
【請求項２２】
前記発光装置は、発光ダイオード、蛍光灯、又は冷陰極管の少なくとも一つであることを特徴とする請求項２１に記載の昆虫誘引捕獲器。
【請求項２３】
前記発光装置は、紫外線を放出する発光ダイオードであることを特徴とする請求項２１に記載の昆虫誘引捕獲器。
【請求項２４】
前記発光ダイオードの消費電力は、０．０１Ｗ〜１Ｗの範囲であることを特徴とする請求項２３に記載の昆虫誘引捕獲器。
【請求項２５】
前記発光ダイオードの消費電力は、０．０６Ｗであることを特徴とする請求項２４に記載の昆虫誘引捕獲器。
【請求項２６】
前記発光ダイオードは複数備えられていることを特徴とする請求項２２乃至請求項２５のいずれか一項に記載の昆虫誘引捕獲器。
【請求項２７】
更に、発光装置を備え、
前記発光装置は、前記進気口カバーに取り付けられた、紫外線を放出する複数の発光ダイオードを備えることを特徴とする請求項１４に記載の昆虫誘引捕獲器。
【請求項２８】
前記昆虫は、蚊又はショウジョウバエであることを特徴とする請求項１乃至請求項２７のいずれか一項に記載の昆虫誘引捕獲器。
【発明の詳細な説明】
【技術分野】
【０００１】
本発明は、昆虫誘引捕獲器に関する。具体的に、本発明は、光源及び／または誘引剤により例えば蚊及びショウジョウバエ等の昆虫を誘引捕獲する昆虫誘引捕獲器に関する。
【背景技術】
【０００２】
全世界では、毎年百万人を越える人々が例えばマラリア、デング熱、脳炎または西ナイル川ウイルス感染などの蚊媒介性疾患により死んでいる。病気をもたらす可能性がある以外に、蚊のバイトも常に人間を妨害して人間の体と睡眠などが不調になる。化学殺虫剤を用いる蚊の駆除は、人体の健康に有害し、また環境を破壊する結果がある。蚊取り線香などは一時的に蚊を駆除する事は出来るが、その数を減らす事はできない。
【０００３】
特定の波長を持つ光源により蚊を誘引捕獲する蚊捕獲器が知られている。但し、研究によれば（文献１）、紫外線を利用して蚊を誘引する蚊捕獲器により殺された昆虫のうち、わずか約３％〜４％は、人を刺すメス蚊であるが、９６％〜９７％は、人を刺すメス蚊ではない。光源だけで蚊を誘引捕獲するのは理想的ではない。
【０００４】
蚊は二酸化炭素の濃度により血のソースを探してバイトの目標を判定するため、二酸化炭素を利用して蚊を誘引捕獲する蚊捕獲器も研究されている。既知の商業的に応用されている光触媒蚊捕獲器であって、該蚊捕獲器の内部に二酸化チタンコーティングを増加して、二酸化チタンが紫外線と作用してマイナスイオン酸素を生成し、マイナスイオン酸素が空気中の浮遊微生物と化学反応を起こして二酸化炭素と水を生成し、紫外線と二酸化炭素との誘引を結合することにより蚊を捕獲する効果を増加できるということが主張される。但し、光触媒蚊捕獲器で生成した二酸化炭素は、今までいかなる科学機器によっても検出されていない。該蚊捕獲器の蚊を捕獲する効果は、光源だけを有する蚊捕獲器と大差がない。
【０００５】
他にも、Ｗｉｇｔｏｎらの米国特許出願第6,145,243号には、二酸化炭素を利用して蚊を誘引する対流式昆虫捕獲装置を開示する。該捕獲装置は、アルカンなどの燃料を燃焼・触媒させることによって生成した二酸化炭素を誘引剤として排気管から排出し、二酸化炭素により排気管の出口付近に誘引された蚊は同円心で排気管をめぐていた吸入管に吸入される。このような昆虫捕獲装置は、二酸化炭素を誘引剤として蚊を誘引するが、対流式の配置により構成が非常に複雑になる。また、二酸化炭素は気流の排出に伴って希釈される。従って、排気管の出口での希釈された二酸化炭素の濃度が昆虫を誘引できるレベルに達するためには、装置の内部で大量な二酸化炭素を生成することが必要である。さらに、装置に対して必要な大量な燃料、生成される大量な二酸化炭素及びその大きいサイズのため、このような装置は戸外のみに適用できる。また、このような昆虫捕獲装置は、製造プロセスが複雑、値段が高いので、その普及が制限されている。
【先行技術文献】
【非特許文献】
【０００６】
【非特許文献１】Ｎａｓｃｉ，ＲＳ，ＣＷ．Ｈａｒｒｉｓ ａｎｄ ＣＫ Ｐｏｒｔｅｒ．１９８３．Ｆａｉｌｕｒｅ ｏｆ ａｎ ｉｎｓｅｃｔ ｅｌｅｃｔｒｏｃｕｔｉｎｇ ｄｅｖｉｃｅ ｔｏ ｒｅｄｕｃｅ ｍｏｓｑｕｉｔｏ ｂｉｔｉｎｇ．Ｍｏｓｑｕｉｔｏ Ｎｅｗｓ．４３：１８０〜１８４
【特許文献】
【０００７】
【特許文献２】米国特許ＵＳ６,１４５,２４３
【発明の概要】
【発明が解決しようとする課題】
【０００８】
従って、蚊を効率よく捕獲することのできるとともに、小型且つ簡単に構成されて室内使用に適する昆虫誘引捕獲器が要求される。
【課題を解決するための手段】
【０００９】
本発明は、上記問題点を解決し、小型且つ簡単に構成された効率的な昆虫誘引捕獲器を提供する。
【００１０】
本発明は、昆虫誘引捕獲器を提供し、該昆虫誘引捕獲器は、進気口及び排気口を有するハウジングと、ハウジング内に配置され、昆虫が進気口から吸入されるように進気口からハウジングを通って排気口への気流を生成するファン装置と、ハウジングの排気口に連結され、ハウジング内に吸入された昆虫を収集する収集装置と、誘引剤を収容するキャビティと誘引剤の揮発物を発散する開口とを有する誘引剤ボックスと、を備えてもよい。誘引剤ボックスは、誘引剤ボックスの開口が進気口の付近で進気口よりも気流の流れ方向上流に位置するとともに、ハウジングの外側に向かうように配置される。
【００１１】
本発明の一側面によれば、ハウジングは、中空筒体であり、ファン装置は、筒体の中空部に設置され、進気口及び排気口は中空部と連通し、進気口及び排気口の筒体における位置と向きは、排気口の排気が進気口付近の乱流を起こさないように設定されてもよい。進気口は筒体の一端部に、排気口は筒体の他端部に位置することができる。また、進気口は筒体の一端部の端面に設けられてもよい。ハウジングは、筒体の一端部を形成する進気口カバーを更に備え、進気口カバーは、進気口を形成する少なくとも一つの開口を備えてもよい。進気口は、筒体の一端部における側面に設けられてもよい。進気口カバーは、その端面に格子が形成されることにより進気口が形成され、誘引剤ボックスは、端面の中心に取り付けられ、端面の中心は、ファン装置の中心と一致する。
【００１２】
本発明の他の側面によれば、誘引剤ボックスはハウジングに着脱可能に取り付けられる。誘引剤ボックスは、進気口に隣接して設置されてもよい。誘引剤ボックスは、ハウジング内に取り付けられてもよい。誘引剤ボックスは、筒体の一端部の端面に取り付けられてもよく、筒体の一端部の端面の中心に取り付けられてもよい。誘引剤ボックスは複数であってよく、複数の誘引剤ボックスは等間隔で配置されてもよい。
【００１３】
本発明のほかの側面によれば、収集装置は、通気性袋または通気ネツトを備えるボックスであってもよい。収集装置は、ハウジングに着脱可能に取り付けられてもよい。収集装置は、弁を備え、収集装置がハウジングに取り付けられた場合、進気口から吸入された昆虫が弁を通って収集装置内に進入できるように弁が開弁し、収集装置がハウジングから取り外された場合、収集装置内の昆虫が弁から逃げ出さないように弁が閉弁するようにしてもよい。ハウジングは、突起ピンをさらに備え、収集装置は、付勢手段を更に備え、弁はヒンジにより回動可能に収集装置に連結され、付勢手段は、弁を閉弁するよう付勢し、収集装置がハウジングに取り付けられる場合、突起ピンにより、弁が開弁方向に回動するようにしてもよい。
【００１４】
本発明の他の側面によれば、誘引剤は、フェロモン、乳酸、オクテノール、アンモニアガスを分解可能な化合物及び二酸化炭素を分解可能な化合物のいずれか一つまたはこれらの組み合わせであってよい。アンモニアガスを分解可能な化合物は、炭酸水素アンモニウムであってよい。二酸化炭素を分解可能な化合物は、炭酸水素アンモニウムであってよい。誘引剤ボックスの開口の内径は、誘引剤が開口から０．１ｍｇ／ｈから１０ｍｇ／ｈの速度で排出するように設定されてもよい。
【００１５】
本発明の他の側面によれば、昆虫誘引捕獲器は、昆虫を誘引する光を放出可能な発光装置を更に備えてもよい。発光装置は、発光ダイオード、蛍光灯、又は冷陰極管の少なくとも一つであってよい。
【００１６】
発光装置は、紫外線を放出する発光ダイオードであってよい。発光ダイオードの消費電力は、０．０１W〜１Wの範囲であってよい。発光ダイオードの消費電力は０．０６Wであってもよい。発光ダイオードは複数であってもよい。発光装置は、進気口カバーに取り付けられた、紫外線を放出可能な複数の発光ダイオードを備えてもよい。
【００１７】
本発明の他の側面によれば、昆虫は、蚊又はショウジョウバエであってよい。
【００１８】
本発明の実施例の昆虫誘引捕獲器によれば、ファン装置は、進気口からハウジングを通って排気口への気流を生成して、昆虫が進気口から吸入されるようにする。本発明の昆虫誘引捕獲器は、対流型の昆虫誘引捕獲器と比べて、進気口に一方向の気流のみを生成するため、より簡単な構成で、蚊の捕獲を実現しつつ乱流を防止することができ、誘引剤の揮発物の濃度を昆虫を誘引する要求に容易に達させる。また、本発明の昆虫誘引捕獲器は、誘引剤ボックスの開口を、進気口の付近であって、進気口よりも気流の流れ方向上流に位置するとともに、ハウジングの外側に向かうように配置している。このような配置により、進気口付近での誘引剤の揮発物の濃度が最高になる。誘引剤の揮発物の一部は気流につれて進気口に進入して下流の排気口へ流れるが、気流により迅速に希釈される。この結果、蚊は、排気口付近よりも、進気口付近の誘引剤の揮発物に容易に誘引されるため、本発明の構成では、蚊の捕獲効率を一層向上させることができる。
【００１９】
また、本発明によれば、誘引剤ボックスは、ハウジングの進気口端部の端面に配置させ、該端面には格子が形成され、前記端面の中心は、前記ファン装置の中心と一致する。この場合に、誘引剤ボックスの直前には圧力が小さいため、誘引剤ボックスの周りにファン装置が生じた気流による負圧が生じる。このような圧力分布は、誘引剤ボックスにおける誘引剤の揮発物の揮発量を適切に増加できるとともに、誘引剤ボックスの開口付近での誘引剤の揮発物の滞在時間を延長できるため、誘引剤ボックスの開口付近（即ち、進気口よりも上流付近）の誘引剤の揮発物の濃度を増加させる。
【００２０】
また、本発明によれば、収集装置は、ハウジングに着脱可能に取り付けられ、ハウジングに着脱される場合に自動的に開閉する。このような配置により、収集装置を容易に取り外すことができ、また、取り外す場合の蚊の逃げを防止することができる。
【００２１】
また、本発明の昆虫誘引捕獲器によれば、構成が簡単であり、小型且つ低コストである。使用される誘引剤は無毒性で環境汚染を引き起こさないため、環境に優しい。又、本発明の昆虫誘引捕獲器は室内使用に適する。
【図面の簡単な説明】
【００２２】
本発明の上述の目的や他の目的、特徴や利点は、図面を参照して以下の実施例を説明することにより、より明らかになるだろう。図面において、類似する図面の符号は、類似する部品を表示する。
【図１】本発明の第１実施例による昆虫誘引捕獲器の全体構成を示す図である。
【図２】本発明の第１実施例による昆虫誘引捕獲器の分解構成を示す図である。
【図３】本発明の第１実施例による昆虫誘引捕獲器への誘引剤ボックスの取り付け構成を示す図である。
【図４】本発明の第１実施例によるハウジングへの収集装置の着脱に関する構成を示す図であり、図４のＡは、収集装置がハウジングから取り外される状態を示し、図４のＢは、収集装置がハウジングに取り付けられる状態を示している。
【図５】本発明の第１実施例による昆虫誘引捕獲器の作動状態を示す図である。
【図６】図６のＡは、本発明の第１実施例による昆虫誘引捕獲器及び誘引剤ボックスの配置位置を示す図であり、図６のＢは、本発明の第１実施例による昆虫誘引捕獲器及び誘引剤ボックスの異なる有効な配置位置を示す図である。
【図７】図７のＤは、本発明の第２の実施例による昆虫誘引捕獲器及び誘引剤ボックスの配置位置を示す図であり、又図７のＡ、Ｂ及びＣは、本発明の第２の実施例による昆虫誘引捕獲器及び誘引剤ボックスの異なる有効な配置位置を示す図である。
【発明を実施するための形態】
【００２３】
以下、図面を参照して、本発明の実施例について説明する。本発明の各要素の機能及び各要素同士の関係はの関係と機能は、以下の詳細な説明によりより明らかになるだろう。但し、本発明の以下の実施例はあくまでも例示であり、本発明は図面に示した実施例に限定されるものではない。また、以下の説明において、蚊を例として、本発明の実施例の構成及び機能を説明する。
【００２４】
（実施例１）
図１は、本発明の第１実施例による昆虫誘引捕獲器１０の全体構成を示す図である。図２は、本発明の第１実施例による昆虫誘引捕獲器の分解構成を示す図である。図１及び図２に示すように、昆虫誘引捕獲器１０は、誘引剤ボックス２０と、発光装置３０と、ハウジング４０と、ファン装置５０と、収集装置６０とを備える。誘引剤ボックス２０は、誘引剤を収容し、誘引剤の揮発物を発散することによって蚊を誘引する。発光装置３０は、発光によって蚊を誘引する。ハウジング４０は、中空筒体であり、その断面はほぼ円形である。ハウジング４０は、一方の端部（該端部は、以下に「進気口端部」と呼ばれる。）に設置された進気口４０１と、他方の端部に設置された排気口４０２とを備える。進気口４０１及び排気口４０２は、筒体の中空部と連通する。ファン装置５０はハウジング４０の上記の中空部に設置され、昆虫が進気口４０１から吸入されるように、進気口４０１からハウジング４０を通って排気口４０２への気流を生成する。収集装置６０は、ハウジング４０の排気口４０２に連結され、前記ハウジング４０２内に吸入された昆虫を収集するとともに、ファン装置５０により生じた気流を排出する。
【００２５】
図２を再度参照すると、昆虫誘引捕獲器１０のハウジング４０は、進気口カバー４１と排気口カバー４２とを備え、そのうち、進気口カバー４１は、進気口の端部として形成し、進気口カバー４１の端面には、格子が形成され、格子間の開口は、進気口４０１を形成する。ハウジング４０は、進気口カバー４１及び排気口カバー４２が、アウターリング７０に固定され、アウターリング７０が台座８０に固定されることにより、形成される。
【００２６】
誘引剤ボックス２０は、誘引剤を収容する一つまたは複数のキャビティと、誘引剤の揮発物を発散する一つまたは複数の開口とを有し、そのうち、異なるキャビティには、同じ種類または異なる種類の誘引剤を収容することができる。誘引剤ボックス２０は、誘引剤ボックス２０の開口が進気口４０１の付近で、進気口４０１の気流が流れる方向について上流に位置するとともにハウジング４０の外側に向かように、ハウジング４０に着脱可能に取り付けられている。具体的には、図１及び図２に示すように、誘引剤ボックス２０は、進気口カバー４１の端面（即ち、ハウジング４０の進気口の端部の端面）の中心に取り付けられ、当該端面の中心は、ファン装置５０の中心と一致する。誘引剤ボックス２０は、その開口から誘引剤の揮発物を発散することにより蚊を進気口４０１付近に誘引し、ファン装置５０で生じた気流により蚊を進気口４０１を介してハウジング４０に吸入させる。
【００２７】
図３は、本発明の第１実施例による昆虫誘引捕獲器の誘引剤ボックスとハウジングとの連結構成を示す図である。誘引剤ボックス２０は、図３に示す連結構成により着脱可能にハウジング４０に取り付けられる。図３に示すように、誘引剤ボックス２０は、円柱体であり、その開口は誘引剤ボックス２０の、ハウジング４０の外側に向かう端面に設置される。誘引剤ボックス２０は、開口側端面の反対側の他方の端部にほぞ２０１が設置されている。ハウジング４０の進気口カバー４１は、進気口４０１が設けられている一端部の端面の中心に溝が形成され、溝の底部に、誘引剤ボックス２０に設けられているほぞ２０１と係合可能なほぞ穴４１１が設置されている。誘引剤ボックス２０のほぞ２０１をハウジング４０の進気口カバー４１に設置されたほぞ穴４１１に係入し、誘引剤ボックス２０を回転させることにより、誘引剤ボックス２０はハウジング４０の進気口カバー４１に固定される。逆操作により、誘引剤ボックス２０はハウジング４０の進気口本体４１から取り外される。
【００２８】
本実施例において、誘引剤ボックス２０における誘引剤は、例えばアルコール類、酸類及びアンモニア類などの蚊を誘引する物質でよい。例えば、誘引剤は、フェロモン、乳酸、オクテノール、分解する過程においてアンモニアガスを放出する化合物（例えば炭酸水素アンモニウム等）及び分解する過程において二酸化炭素を放出する化合物（例えば炭酸水素アンモニウム等）のうちのいずれか一種またはこれらの混合物である。
【００２９】
以下、図４を参照して本発明の第１実施例による昆虫誘引捕獲器１０の収集装置６０について詳しく説明する。本発明による収集装置６０は、ハウジング４０に着脱可能に取り付けられる。図４のＡは、本発明の第１実施例による昆虫誘引捕獲器１０の収集装置６０がハウジング４０（排気口カバー４２）から取り外される状態を示している。また、図４のＢは、本発明の第１実施例による昆虫誘引捕獲器１０の収集装置６０がハウジング４０（排気口カバー４２）に取り付けられた状態を示している。収集装置６０は、弁６１を備える。収集装置６０がハウジング４０に取り付けられた場合、進気口４０１から吸入された蚊が弁６１を通って収集装置６０内に進入するように、弁６１は開弁される。収集装置６０がハウジング４０から取り外された場合、弁６１は閉弁されて、収集装置６０内の蚊が弁６１から逃げることを防止する。また、収集装置６０は、ボックス本体６２及び通気ネツト６３を更に備え、蚊がボックス本体６２及び通気ネツト６３内に収集され、ファン装置５０が生じた気流は通気ネツト６３のメッシュを通って排出される。
【００３０】
以下、本発明の収集装置６０のハウジング４０への着脱に関する構成について具体的に説明する。図４のＡに示すように、収集装置６０は、ボックス本体６２の縁に、ハウジング４０の排気口カバー４２の縁に設置されたほぞ４２１と係合可能な係止口６２１が形成されている。図４Ａに示されたハウジング４０の排気口カバー４２に設置されたほぞ４２１が収集装置６０の係止口６２１に係合され、且つ図４Ｂに示すように、収集装置６０が回転されることにより、収集装置６０はハウジング４０の排気口カバー４２に固定される。逆操作により、収集装置６０がハウジング４０の排気口カバー４２から取り外される。
【００３１】
以下、弁６１の開閉動作に関する構成について具体的に説明する。弁６１は、ヒンジにより回動できるようにボックス本体６２に連結されている。収集装置６０は、付勢手段としてのばね（図示せず）を更に備える。当該ばねは、弁６１を閉弁するよう付勢する。従って、図４のＡに示すように、収集装置６０が前記ハウジング４０から取り外された場合、ばねにより弁６１が閉弁する。また、ハウジング４０は、排気口カバー４２の縁内側に弁６１に対応する突起ピン４２２も設けられている。収集装置６０が前記ハウジング４０の排気口カバー４２に取り付けられる場合、突起ピン４２２は、対応する弁６１を開弁方向に沿って回動させて、弁６１を開けさせ、進気口４０１から吸入された蚊が開けられた弁６１を通って収集装置６０に進入できるようにする。収集装置６０が前記ハウジング４０の排気口本体４１から取り外される場合、ばねは、弁６１を閉弁するよう付勢して、弁６１を閉めさせ、収集装置内の蚊が弁６１から逃げることを離れを防止する。
【００３２】
本実施例において、収集装置６０のボックス本体６２は、プラスチック製でよく、通気ネツト６３は、金属メッシュ（例えばステンレスなど）やプラスチックメッシュなどでよい。通気ネツト６３のメッシュ数は、２５０メッシュであることが好ましい。メッシュが小さすぎると、気流に対する抵抗が大きくなって、気流の吸入力が弱すぎる。しかも、捕獲された蚊や埃などがメッシュを容易に閉塞し、気流の吸入力が低下する。メッシュが大きすぎると、蚊などが容易に逃げられる。なお、ボックス本体６２と通気ネツト６３との組み合わせに代わり、通気性袋を使用してもよい。
【００３３】
本発明の第１実施例による昆虫誘引捕獲器１０は、発光装置３０を更に備える。発光装置３０は、蚊を誘引するための光を放出する。昆虫誘引捕獲器１０の外部へ向かって発光さえできれば、発光装置３０の設置位置及び数量は特に限定しない。発光装置３０を昆虫誘引捕獲器１０の進気口端部の外側に向かって発光させることが好ましく、発光装置３０を進気口付近に設置する、または進気口に隣接するように設置させることがより好ましい。図１、図３及び図５に示すように、第１実施例において、発光装置３０は、ハウジング４０の進気口カバー４１の端面に配置されて、蚊を進気口４０１付近に誘引する。
【００３４】
発光装置３０は、発光ダイオード、蛍光灯、冷陰極管またはその他の適合な発光装置でよい。好ましくは、発光装置は、紫外線を放出する発光ダイオードである。より好ましくは、発光ダイオードから放出される紫外線の波長は３８５ｎｍである。低出力光源は、蚊に対して十分な吸引力を有する一方、人の眼球に対するダメージを低減するとともに、望まない他の益虫に対する誘引捕獲を低減することができるため、発光装置３０として低出力光源を用いることが好ましい。例えば、発光装置３０は、消費電力０．０１Ｗ〜０．１Ｗの発光ダイオードである。より好ましくは、発光ダイオードの消費電力は、０．０６Ｗである。本発明の第１実施例において、発光装置３０は、波長３８５ｎｍの紫外線を放出する０．０６Ｗの発光ダイオードを四つ備える。
【００３５】
以下、図５を参照して本発明の第１実施例による昆虫誘引捕獲器１０の作動原理について詳しく説明する。図５は、本発明の第１実施例による昆虫誘引捕獲器１０の作動状態を示す図である。昆虫誘引捕獲器１０が作動開始の前に、誘引剤を誘引剤ボックスのキャビティに入れる必要がある。
【００３６】
図５に示すように、誘引剤を含む誘引剤ボックスをハウジングに取り付けし昆虫誘引捕獲器１０を起動した後、発光装置３０は外部に向かって発光し、ファン装置５０が作動して点線矢印ｂに示すように進気口からハウジングを通って排気口への気流が生成され、また、実線矢印ａに示すように、誘引剤ボックス２０はその開口から外部に誘引剤の揮発物を発散する。誘引剤ボックス２０の開口は、進気口の付近であって、進気口よりも気流ｂの流れ方向上流側に位置するため、誘引剤ボックス２０の開口付近（即ち、進気口の上流付近）に昆虫を十分に誘引できる濃度の誘引剤の揮発物が生成される。その後、誘引剤の揮発物の一部は気流ｂにつれて進気口からハウジングを通って排気口へ流れる。気流ｂによる誘引剤の揮発物の希釈により、進気口の下流から排気口まで誘引剤の揮発物の濃度は著しく低下する。従って、蚊は誘引剤の揮発物及び光線に容易に誘引されて進気口４０１付近までに飛んで来る。進気口４０１付近に誘引された蚊はファン装置５０により生成された気流により進気口４０１からハウジング４０に吸入され、吸入された蚊は気流につれて排気口４０１を経由し、開いている弁６１を通って収集装置６０内に入り、気流は収集装置６０の通気ネツト６３から排出されるが、蚊は収集装置６０に収集される。同時に、ファン装置５０により生成される気流により、蚊は収集装置６０から気流に逆らいながら飛び出すのは難しい。
【００３７】
本実施例では、誘引剤ボックス２０がハウジング４０の進気口カバー４１の端面の中心に取り付けられ、ファン装置３０の中心がハウジング４０の進気口カバー４１の端面の中心と一致することである。さらに、該端面には、環状の格子が形成され、進気口４０１としての複数の開口が形成される。この場合、誘引剤ボックス２０の直前には圧力が小さいため、誘引剤ボックス２０の周りにファン装置５０が生じた気流による負圧が生じる。このような圧力分布は、誘引剤ボックス２０における誘引剤の揮発物の揮発量を適切に増加できるとともに、誘引剤ボックス２０の開口付近での誘引剤の揮発物の滞在時間を延長できるため、誘引剤ボックス２０の開口付近（即ち、進気口よりも上流付近）の誘引剤の揮発物の濃度を増加させることができる。この結果、蚊の誘引・捕獲効率が一層向上する。
【００３８】
また、各種誘引剤の揮発度によって誘引剤ボックス２０の開口の内径の大きさ及び開口数を設けることにより、誘引剤の排出速度を制御する。誘引剤は開口から０．１ｍｇ／ｈから１０ｍｇ／ｈの速度で排出することが好ましい。また、誘引剤は室温で自然に揮発してもよく、加熱装置などで温度を制御することにより適切な揮発度に達することもよい。
【００３９】
また、本実施例において、ファン装置５０が生じた気流を適切に制御し、又該気流に対する要求によってファン装置５０の規格を選定する。ファン装置５０が生じた気流は、誘引剤及び光線により進気口付近に誘引された蚊がハウジング内に吸入される程度、十分に大きくしなければならず、且つ進気口付近に誘引された蚊が空気の乱流を感じて進気口から逃げ離れないように、十分に小さくしなければならない。そして、ファン装置５０が生じた気流は、収集装置６０に進入した蚊が収集装置６０から気流に逆らって飛び出すことができないように確保しなければならない。このような要求によって、本発明の第１実施例による昆虫誘引捕獲器１０は、１２Ｖ、２００μА、２０００回/分の六寸のファンを採用することができる。ファン装置が生じた気流が上記の条件に満足すれば、昆虫誘引捕獲１０は、他の規格のファン装置を採用してもよい。
【００４０】
（実施例２）
図７には、本発明による昆虫誘引捕獲器の第２の実施例を示す。第１実施例と比べて、第２の実施例は、主に進気口の位置及び誘引剤ボックスの位置が異なる。図７に示すように、第２の実施例による昆虫誘引捕獲器は直立式の構成であり、ハウジング４００は中空筒体であり、ファン装置５００は、筒体の中空部に設けられる。ハウジング４００の一端部（以下、「進気口端部」と呼ぶ）には進気口を備え、他端部には排気口を備える。ハウジング４００は、進気口端部に複数の支柱８００によりエンドカバー９００が支持されて、複数の支柱８００間の隙間が進気口を形成する。発光装置３００は、エンドカバー９００の下側に吊り下げられている。
【００４１】
図７のＡ〜Ｄは、誘引剤ボックス２０の配置例を示している。例えば、図７のＡに示すように、誘引剤ボックス２００は、エンドカバー９００の外側に、開口がエンドカバー９００の外側に向かうように配置されてもよい。図７のＢに示すように、誘引剤ボックス２００は、エンドカバー９００の底部に配置されてもよい。図７のＣに示すように、誘引剤ボックス２００は、ハウジング４００のエンドカバー９００に対向する表面に配置されてもよい。図７のＤに示すように、誘引剤ボックス２００は、ハウジング４００の側面に配置されてもよい。つまり、本発明によれば、誘引剤ボックスは、開口がハウジングの進気口付近で進気口の気流の流れ方向上流に位置するとともに、ハウジングの外側に向かう可能であれば、ハウジングの任意の位置に配置されることができる。
【００４２】
（他の実施例）
以上、本発明の第１実施例及び第２の実施例による昆虫誘引捕獲器を詳細に説明したが、本発明は、他の実施の例も考えられる。
上述の実施例において、ハウジング４０は、断面がほぼ円形の筒体である。但し、ハウジングの断面は、例えば方形や多辺形や他の不規則な形状のような他の形状であってもよい。
【００４３】
上述の実施例において、進気口はハウジングの一端部に形成され、排気口はハウジングの他端部に形成されている。但し、進気口及び／また排気口は、進気口及び排気口の位置・向きにより排気口の排気が進気口付近の乱流を起こさない限り、ハウジングの中部の側面などのような他の位置に形成されてもよい。本発明は、気流が進気口からハウジングを通って排気口へ流れる並流型を採用しているため、進気口と排気口とが向き合い或いは緊密に隣接しなければ、排気口の排気は、排気口で昆虫に影響を与える乱流を生成しない。
【００４４】
本発明の第１実施例の昆虫誘引捕獲器１０において、図６Ａに示すように、誘引剤ボックスは、単一の誘引剤ボックスであり、ハウジングの進気口端部の端面の中心に配置されている。但し、誘引剤ボックスは、開口が進気口の付近であって進気口よりも気流の流れ方向上流に位置するとともに、ハウジングの外側に向かうように配置されば、誘引剤ボックスの位置及び数量は特に限定しない。図６のＢに示すように、本発明の第１実施例において、誘引剤ボックスは複数であってもよく、又等間隔でハウジングの進気口端部の端面に配置される。図７に示した実施例において、複数の誘引剤ボックスを配置してもよい。
【００４５】
また、本発明の第１実施例によれば、ハウジングの進気口端部の端面には、環状の格子が形成され、格子間の開口が上記進気口を形成する。但し、ハウジングの進気口端部の端面には、他の適当な形状及び結構に形成されてもよい。
【００４６】
また、本発明の第１実施例によれば、誘引剤ボックスはほぞとほぞ穴の構成により着脱可能にハウジングに取り付けられるが、誘引剤ボックスは、例えばスナップ、磁気連結、摩擦連結などのような他の適当な連結構成により着脱可能にハウジングに取り付けられてもよい。また、誘引剤ボックスは、ハウジングに固定される構成であってよい。また、開口或いは開閉可能な蓋構成によりキャビティに誘引剤を添加するように構成してもよい。
【００４７】
また、本発明の第１実施例によれば、収集装置は、ほぞとほぞ穴の構成により着脱可能にハウジングに取り付けられるが、収集装置は、例えばスナップ、磁気連結、摩擦連結などのような他の適当な連結構成により着脱可能にハウジングに取り付けられてもよい。誘引剤ボックスまた、収集装置は、突起ピンとばねなどのような付勢手段によって、弁の自動開閉を実現しているが、本発明は、例えば、カム溝のような機械構成や電磁構成などのようなほかの形態により弁の自動開閉を実現することもできる。
【００４８】
また、上述の実施例において、昆虫誘引捕獲器は、発光装置を備える。但し、必要に応じて、発光装置を備えなくてもよく、発光装置用のスイッチを設置してもよい。
【００４９】
また、上記では、蚊を例として本発明を説明したがが、本発明の昆虫誘引捕獲器は、誘引剤の種類、発光装置から放出される光の波長又は収集装置のメッシュサイズなどを変更することにより、例えばショウジョウバエなどのような他の種類の飛翔昆虫を捕獲することもできる。本分野において、ショウジョウバエ用誘引剤として、バナナ、楊梅、及び糖酢などが常用される。例えば、中国専利出願公開第１０２８０５１１０Ａ号は、ショウジョウバエ用誘引剤及びその製造方法を開示している。
【００５０】
（効果）
前記において、本発明の実施例による昆虫誘引捕獲器の構成及び機能を詳細に説明した。本発明の昆虫誘引捕獲器は、以下のようなメリットがある。
【００５１】
本発明の昆虫誘引捕獲器によれば、ファン装置は、進気口からハウジングを通って排気口への気流を生成して、昆虫が進気口から吸入されるようにする。本発明の昆虫誘引捕獲器は、対流型の昆虫誘引捕獲器と比べて、進気口に一方向の気流のみを生成するため、より簡単な構成で、蚊の捕獲を実現しつつ乱流を防止することができ、誘引剤の揮発物の濃度を昆虫を誘引する要求に容易に達させる。また、本発明の昆虫誘引捕獲器は、誘引剤ボックスの開口を、進気口の付近であって、進気口よりも気流の流れ方向上流に位置するとともに、ハウジングの外側に向かうように配置している。このような配置により、進気口付近での誘引剤の揮発物の濃度が最高になる。誘引剤の揮発物の一部は気流につれて進気口に進入して下流の排気口へ流れるが、気流により迅速に希釈される。この結果、蚊は、排気口付近よりも、進気口付近の誘引剤の揮発物に容易に誘引されるため、本発明の構成では、蚊の捕獲効率を一層向上させることができる。
【００５２】
また、本発明の好ましい実施例において、誘引剤ボックスは、ハウジングの進気口端部の端面に配置させ、該端面には格子が形成され、前記端面の中心は、前記ファン装置の中心と一致する。この場合に、誘引剤ボックスの直前には圧力が小さいため、誘引剤ボックスの周りにファン装置が生じた気流による負圧が生じる。このような圧力分布は、誘引剤ボックスにおける誘引剤の揮発物の揮発量を適切に増加できるとともに、誘引剤ボックスの開口付近での誘引剤の揮発物の滞在時間を延長できるため、誘引剤ボックスの開口付近（即ち、進気口よりも上流付近）の誘引剤の揮発物の濃度を増加させる。
【００５３】
また、本発明の昆虫誘引捕獲器は、弁を備える。収集装置が前記ハウジングに取り付けられると、進気口から吸入された蚊が収集装置に進入できるように、弁が開弁される。ハウジングから取り外されると、弁が閉弁されて蚊の逃げが防止される。
【００５４】
従って、本発明の昆虫誘引捕獲器によれば、構成が簡単であり、小型且つ低コストである。使用される誘引剤は無毒性で環境汚染を引き起こさないため、環境に優しい。又、本発明の昆虫誘引捕獲器は室内使用に適する。
【００５５】
以下、２組の実験によって本発明の昆虫誘引捕獲器の蚊の捕獲効果を説明する。
【００５６】
（実験１）
図６のＡに示す本発明の第１実施例による昆虫誘引捕獲器と比較例１としての昆虫誘引捕獲器と、図７のＤに示す本発明の第２実施例による昆虫誘引捕獲器と比較例２としての昆虫誘引捕獲器を用いて実験を行った。そのうち、比較例１は、図６のＡに示す昆虫誘引捕獲器から誘引剤ボックスを除去したものであり、比較例２は、市販の蚊取りの達人の第二代（台湾のInaday’s製）であり、本発明で示す誘引剤ボックスを有しない。また、図６のＡに示す昆虫誘引捕獲器と比較例１の昆虫誘引捕獲器では、発光装置として発光ダイオードを使用し、図７のＤに示す昆虫誘引捕獲器と比較例２の昆虫誘引捕獲器では、発光装置として冷陰極管を使用した。実験が行われる２組の昆虫誘引捕獲器は、発光装置の消費電力が異なり、相互干渉を防止するために、異なる場所に放置して実験を行った。
【００５７】
中国広東地域では、五月の平均温度は２３℃から３０℃で、六月は雨が多く、平均温度は２５℃から３１℃である。蚊は三月から活動し、五月に最も活発になり、七、八月には３５℃以上の高温であるため、蚊の活動力が低下しひいては人間を悩まさせない。従って、一年のうち五月から六月までの蚊が頻繁に活動する期間、広東の蚊が多いある工場において、２４時間の連続的な比較試験を行った。実験場所は、面積が１８平方メートルと小さい電気室と面積が２１０平方メートルと大きい作業場とし、二つの実験場所の窓には、いずれも防蚊網戸がない。
【００５８】
５月９日から５月３１日の第1期の実験では、電気室には、図６のＡに示す第１の実施例の昆虫誘引捕獲器と比較例１としての昆虫誘引捕獲器を各１台配置し、面積が大きい作業場内には、図７のＤに示す昆虫誘引捕獲器と比較例２としての昆虫誘引捕獲器各１台配置した。同組の２台の昆虫誘引捕獲器同士の距離は、１．５ｍとした。６月１日から６月２７日の第２期の実験では、２組の昆虫誘引捕獲器の位置を置き換えた。
【００５９】
２組の昆虫誘引捕獲器のそれぞれにより捕獲された蚊の数統計し、その結果を以下の表１に示す。
【００６０】
【表１】
0005941932.tif 000002
【００６１】
表1中の実験結果から、同じ時間帯において、図６のＡに示す昆虫誘引捕獲器と比較例１を比較すると、面積の小さい電気室内において、蚊を捕獲する効率は５３％高くなるが、面積の大きい作業場内において、蚊を捕獲する効率は４１％高くなる。類似的に、７のＤに示す昆虫誘引捕獲器と比較例２を比較すると、面積の小さい電気室内において、蚊を捕獲する効率は４５％高くなるが、面積の大きい作業場内において、蚊を捕獲する効率は３４％高くなる。
【００６２】
これからわかるように、誘引剤ボックス及び発光装置を同時に使用して蚊を誘引する昆虫誘引捕獲器は、誘引剤ボックスを使用しなく、発光装置のみを使用して蚊を誘引する昆虫誘引捕獲器と比べると、その蚊を捕獲する効率がよりずっと高い。なお、同じ昆虫誘引捕獲器でも、面積のが小さい電気室内より面積の大きい作業場内の方が蚊を捕獲する効率が約１０％高くなる。該相違は、主に小さい空間内の誘引剤揮発物の濃度が高いことと関連する。
【００６３】
（実験２）
図６のＡに示す本発明の第１実施例による昆虫誘引捕獲器と比較例３及び比較例４の昆虫誘引捕獲器によって実験を行った。比較例３は、図６のＡに示す昆虫誘引捕獲器の誘引剤ボックスを収集装置のネット内に収容するものであり、比較例４は、図６のＡに示す昆虫誘引捕獲器から誘引剤ボックスを除去したものであり、その以外、昆虫誘引捕獲器の他の配置は同じである。８月３０日から９月１９日の間、作業場内で２４時間の連続的な比較試験を行い、実験場所の窓には防蚊網戸がない。実験の際、もう９月だったので、環境温度は２３℃から３３℃であり、虫は少なかった。
【００６４】
図６のＡに示す昆虫誘引捕獲器と、比較例３の昆虫誘引捕獲器と、比較例４の昆虫誘引捕獲器を各１台面積が大きい作業場内に配置し、昆虫誘引捕獲器同士の距離は、１．５ｍとした。
【００６５】
実験が終了した後、昆虫誘引捕獲器のそれぞれによる蚊捕獲数を統計し、その結果を以下の表２に示す。
【００６６】
【表２】
0005941932.tif 000003
【００６７】
表２の実験結果から、図６のＡに示す第１の実施例の昆虫誘引捕獲器は、比較例３よりも、同一期間、同一作業場内で蚊を捕獲する効率が１２６％向上したことを発見した。また、誘引剤ボックスを備える第１の実施例は、誘引剤ボックスを備えない比較例４に比べても、蚊を捕獲する効率が著しく向上したことを発見した。
【００６８】
これからわかるように、誘引剤ボックスを進気口の付近に配置する昆虫誘引捕獲器は、誘引剤ボックスを進気口から離れた（例えば、進気口よりも排気口に近接する）位置に配置する昆虫誘引捕獲器よりも、蚊の捕獲効率がもっと高い。なお、実験において昆虫誘引捕獲器により捕獲された蚊の合計捕獲数はいずれも多くなかったが、これは、実験期間（９月）における蚊の数が少なくなったことと関係があると考えられる。
【００６９】
以上、本発明の実施例を詳細に説明したが、本発明は、前述した実施例または構成に限定されるものではない。本発明の要旨を逸脱しない範囲で、上述した実施例に対して種々な変更及び置き換えを行うことができる。
【符号の説明】
【００７０】
１０            昆虫誘引捕獲器
２０、２００    誘引剤ボックス
３０、３００    発光装置  
４０、４００    ハウジング
４１            進気口カバー
４２            排気口カバー
５０            ファン装置
６０            収集装置
６１            弁
６２            ボックス本体
６３            通気ネツト
７０            アウターリング
８０            台座
２０１          ほぞ
４０１          進気口
４０２          排気口
４１１、４２１  ほぞ穴
６２１          係止口
４２２          突起ピン
９００          エンドカバー
８００          支柱
５００          ファン装置
ａ              点線矢印
ｂ              気流
【図１】
0005941932.tif 000004
【図２】
0005941932.tif 000005
【図３】
0005941932.tif 000006
【図４】
0005941932.tif 000007
【図５】
0005941932.tif 000008
【図６】
0005941932.tif 000009
【図７】
0005941932.tif 000010